(57)【特許請求の範囲】
【請求項１】
各々が専用周波数バンドで作動する寸法の第１の導電性パッチと第２の導電性パッチの積重ね、前記第１の導電性パッチは第１の周波数帯で作動し、前記第２の導電性パッチは第２の周波数帯で作動し、
該導電性パッチの積重ねの下側に配置される励起線部とを備え、
該励起線部が第１及び第２の導電性ストリップの対を含み、該導電性ストリップの各対が上記導電性パッチの積重ねにおける、関連導電性パッチに放射連結される衛星測位システム用積重ねマルチバンド受信用アンテナであって、
上記アンテナが上記励起線部の下部に配置されたトリプレート部と、上記導電性ストリップ対を衛星測位受信器にそれぞれ作動可能に連結する第１及び第２の電気回路を含み、該第１及び第２の電気回路が上記励起線部の下側に配置された該トリプレート部内に配置され、該トリプレート部は第１の誘電性ディスクと第２の誘電性ディスクを含み、前記第１及び第２の電気回路は該第１及び第２の誘電性ディスク間に挟まれており、該第１及び第２の誘電性ディスクは前記第１及び第２の電気回路から遠い方の面が導電性層でメッキされていること、上記第１及び第２の電気回路が上記第１及び第２の導電性ストリップ対からの信号を夫々、濾過及び増幅するフィルタと増幅器をそれぞれ含んで成り、前記第１の回路は前記第１周波数帯内の信号を最大量伝送するものの、前記第１周波数帯外の信号は反射するか減衰し、及び前記第２の電気回路は前記第２周波数帯内の信号を最大量伝送するものの、前記第２周波数帯外の信号は反射するか減衰することを特徴とする自己単向２路積重ねマルチバンド受信用アンテナ。
【請求項２】
前記第１及び第２の導電性ストリップの対の各々が長さの類似する又は等しい２つの導電性ストリップから成り、該２つの導電性ストリップがそれ等の仮想交差点から放射状に直角に延び、該仮想交差点が前記導電性パッチの下側中央に位置するようにして成る請求項１に記載の受信用アンテナ。
【請求項３】
前記励起線部が、前記第１の対の導電性ストリップの第１の導電性ストリップは、前記第２の対の導電性ストリップの第１の導電性ストリップと一直線をなし、及び、前記第１の対の導電性ストリップの第２の導電性ストリップは、前記第２の対の導電性ストリップの第２の導電性ストリップと一直線をなしていることを特徴とする請求項１又は２に記載の受信用アンテナ。
【請求項４】
前記導電性パッチの積重ねが回転対称とされたパッチを含んで成る請求項１〜３の何れか１つに記載の受信用アンテナ。
【請求項５】
前記導電性パッチの積重ねがディスク形状導電性パッチと環状導電性パッチを含んで成る請求項４に記載の受信用アンテナ。
【請求項６】
前記導電性パッチの積重ねが第１の周波数バンドで作動するような寸法の第１の導電性パッチと、上記第１の周波数バンドとは全く異なる第２の周波数バンドで作動するような寸法の第２の導電性パッチとを含んで成り、
前記励起線部が
上記第１の導電性パッチに放射連結される第１の対の導電性ストリップを含み、該第１の対の導電性ストリップは上記励起線部内で互いに直角に配置された第１及び第２のストリップを含み、
及び、
上記第２の導電性パッチに放射連結される第２の対の導電性ストリップを含み、該第２の対の導電性ストリップは上記励起線部内で互いに直角に配置された第１及び第２のストリップを含んで成り、
前記アンテナが
上記第１の対の導電性ストリップを前記衛星測位受信器に接続する第１の電気回路と、この第１の電気回路は前記第１の周波数帯内の信号は最大量伝送するものの前記の第１の周波数帯外の信号を反射又は減衰するものであり、
上記第２の対の導電性ストリップを上記衛星測位受信器に接続する第２の電気回路、前記第２の電気回路は前記第２の周波数帯の信号を最大量伝送するものの、前記第２の周波数帯外の信号を反射又は減衰するものであり、を含んで成る請求項１〜５の何れか１つに記載の受信用アンテナ。
【請求項７】
前記第１の電気回路が、第１の対の導電性ストリップの前記第１のストリップからの第１の周波数信号と、相対位相差９０°のある第１の対の導電性ストリップの前記第２のストリップからの第１の周波数信号とを結合する第１の連結ステージを含み、
前記第２の電気回路が、第２の対の導電性ストリップの前記第１のストリップからの第２の周波数信号と、相対位相差９０°のある第２の対の導電性ストリップの前記第２のストリップからの第２の周波数信号とを結合する第２の連結ステージを含んで成る請求項６に記載の受信用アンテナ。
【請求項８】
前記第１の電気回路が前記第１の対の導電性ストリップからの前記結合される第１の周波数信号を夫々濾過及び増幅するバンドパスフィルタ及び増幅器を含み、
前記第２の電気回路が前記第２の対の導電性ストリップからの前記結合される第２の周波数信号を夫々濾過及び増幅するバンドパスフィルタ及び増幅器を含んで成る請求項６又は７に記載の受信用アンテナ。
【請求項９】
少なくとも前記第２の電気回路が２つのより狭い周波数バンドを第２の周波数バンド内で選択する、バンドパスフィルタを２つ有するダイプレクサを含んで成る請求項６〜８の何れか１つに記載の受信用アンテナ。
【請求項１０】
前記導電性パッチを支持する誘電性基板層を含んで成る請求項１〜９の何れか１つに記載の受信用アンテナ。
【請求項１１】
空洞のある金属容器を含んで成り、前記導電性パッチの積重ねと前記励起線部が上記空洞内に配置されて成る請求項１〜１０の何れか１つに記載の受信用アンテナ。
【請求項１２】
後部入射電磁波を減少させるチョークを含んで成る請求項１〜１１の何れか１つに記載のアンテナ。
【請求項１３】
前記アンテナを保護するレードームを含んで成る請求項１〜１２の何れか１つに記載の受信用アンテナ。
【発明の詳細な説明】
【技術分野】
【０００１】
本発明は衛星測位システム用アンテナ、特にマルチバンド積重ねパッチアンテナに関する。
【背景技術】
【０００２】
衛星航行システムはマルチパス効果と電離層又は対流圏誤差を低減させ、最終的には高い測位精度をユーザーに提供するため、マルチ周波数バンドで動作する。現在のＧＰＳ（地球規模測位システム）は例えば、中心が１５７５．４２ＭＨｚのＬ１周波数バンドの信号と、中心が１２２７．６ＭＨｚのＬ２バンドの信号を用いている。来るべき欧州ガリレオ測位システムは異なるセットの周波数バンド、例えばＥ５バンド（１１６４〜１２１５ＭＨｚ）とＥ６バンド（１２６０〜１３００ＭＨｚ）と簡単のため「Ｌ１バンド」と呼ばれるＥ２−Ｌ１−Ｅｌバンド（１５５９〜１５９３ＭＨｚ）で動作することになろう。大きな測位能力から便益を図るため、また種々の測位サービスを用い得るようにするため、ユーザーは複数の周波数で動作可能な受信器・送信器の基礎施設を必要とする。
【０００３】
マルチバンド積重ねパッチアンテナは衛星測位システムの分野で知られている。後部放射及びその受信を低下させたマルチ周波数アンテナが、例えばＵＳ特許出願２００５／００５２３２１に開示されている。そのようなマルチバンドは一般に、誘電性の実質的に平面の基板の積重ねと各基板の表面上に配置した導電性層を含む。各導電性層は特定周波数バンドに関連付けられ、夫々の周波数バンド内で共振するように構成される。パッチは、一番下にある誘電性基板の後面に付けられた給電マイクロストリップ線にスロットを通して寄生的に連結される。衛星測位のために利用されるもう１つのアンテナが”A Dual Band Circularly Polarized Aperture-Coupled Stacked Microstrip Antenna for Global Positioning Satellite”（地空規模測位衛星用デュアルバンド円形偏光アパーチュア結合積重ねマイクロストリップアンテナ）、Pozar et al., IEEE Transactions on Antenna and Propagation （アンテナ及び伝播に関するＩＥＥＥトランザクション）、Vol. 45, No. 11, November 1997に記載されている。Pozarのアンテナは、第１と第２のアンテナパッチの積重ね装置と、交差スロット給電回路網とマイクロストリップ給電回路網とを含む。後者は、マイクロストリップの信号を、相対位相を正確に合わせて和算する電力コンバイナを含む。
【０００４】
衛星測位用途及び／又はマルイチバンド動作に特に関連しない他のアンテナが、交差スロット給電マイクロストリップアンテナを開示するＵＳ２００４／０１８９５２７Ａ１、アパーチュア結合デュアルバンドアンテナを開示するＵＳ６０５４９５３、陸上移動装置と通信するためのマルチバンド基地局アンテナを開示するＵＳ２００４／０２６３３９２Ａ１及び印刷デュアルバンドアンテナを開示するＵＳ２００４／０２３９５６５Ａ１から知られている。
【０００５】
衛星測位システムにおける重要な問題はマルチパス効果と、位相中心安定性である。マルチパス信号はアンテナの周囲における面反射によるもので、位置測定の限定要素となる。アンテナに反射面が近ければ近いほど、マルチパスの効果を受信器が緩和するのが難しくなる。短距離マルチパス効果を低減するため、アンテナの受信パターンが調整されなければならない。
【０００６】
周波数に亘る位相中心の変化は位置測定のもう１つの限定要素であり、これもアンテナレベルで最小にされなければならない。温度による位相中心の変化も、最小化されるべきもう１つのパラメタである。
【０００７】
衛星航行システムにおいて、典型的な信号レベルは（Ｌ１バンドでは）−１３０ｄＢｍ、（Ｅ５／Ｅ６バンドでは）−１２５ｄＢｍのオーダーであり、ＲＦフロントエンドに対して比較的厳しい要求を設定している。更に、バンド外リジェクションは、特にアンテナが例えばアビオニクス等の、ＲＦ干渉レベルの高い環境で用いられる場合、極めて高くなければならない。
【０００８】
もう１つの重要な点は、周波数による群遅延変化である。群遅延は主として、共振部に基づく電気回路の群遅延部分による。群遅延変化は位置測定が正確に出来るように所定周波数バンドに亘って低く保たれねばならない。更に、所定周波数に対する温度による群遅延の変化は最小化されなければならない。
【発明の開示】
【発明が解決しようとする課題】
【０００９】
本発明の目的は、改良された積重ねマルチバンドアンテナを提供することにある。
【課題を解決するための手段】
【００１０】
この目的は請求項１に記載のアンテナにより達成される。そのような衛星測位システム用積重ねマルチバンドアンテナは、各々が夫々専用周波数バンドで作動するように寸法付けられた導電性パッチの積み重ねを含む。本発明の重要な側面によれば、導電性ストリップの対を含んだ励起線部は上記導電性パッチの積重ねの下側に配置される。各対の導電性パッチは導電性パッチの積重ねにおいて、関連導電性パッチに放射連結されるようになっている。アンテナは更に、励起線部の下側のトリプレート部に配置され、導電性パッチ対を衛星測位受信器に作動的に接続する少なくとも１つの電気回路を備えたＲＦフロントエンドを含む。この少なくとも１つの電気回路は、アンテナ動作中に導電性ストリップ対からの信号を夫々濾過及び増幅するフィルタ及び増幅器を含む。ＦＲフロントエンドは好ましくは、異なる周波数バンド毎に別個の回路を有する。これにより、独立したインピーダンス整合、給電、濾過及び増幅が可能に成る。周波数バンドが２つの場合、アンテナは従って自己単向２路通信特性を呈示する。トリプレートは上記少なくとも１つの電気回路を遮蔽する。極めて好ましくは、各対の導電性ストリップの導電性ストリップを互いに実質的に直角にすると良い。円偏波信号が受信又は送信されるとき、各対の導電性ストリップの導電性ストリップにおける信号は位相差が９０°となるからである。アンテナのこのコンパクトな構成は、高い位相中心安定性を提供する。
【００１１】
本発明の好適な実施態様において、導電性ストリップの対の各々が長さの類似する又は等しい２つの導電性ストリップから成り、該２つの導電性ストリップがそれ等の仮想交差点から放射状に直角に延び、該交差点が導電性パッチの中央下側に位置するようにする。更に、導電性ストリップを十字形状に配置し、第１の対の第１の導電性ストリップが第２の対の第１の導電性ストリップと一直線に並ぶようにし、第１の対の第２の導電性ストリップが第２の対の第２の導電性ストリップと一直線に並ぶようにされる。注目すべきことは、各対の導電性ストリップが、対毎に異なって良い専用形状化励起線を含むようにすることができることである。これ等導電性ストリップは略真っ直ぐでも良く、曲がり部を含んでも良い。
【００１２】
導電性パッチの形状は、夫々の周波数バンドの信号を良好に受信できればどんなものでも良い。一例として、正方形又は六角形でも良いが、導電性パッチの積重ねが円板状の導電性パッチや環状導電性パッチ等の回転対称導電性パッチを含むのが良い。
【００１３】
本発明の極めて好適な実施態様によれば、導電性パッチの積重ねは第１の周波数バンド（例えばＬ１バンド）で作動するような大きさにした第１の導電性パッチと、第１の周波数バンドとは全く異なる第２の周波数バンド（例えば、ガリレオ衛星システムの場合Ｅ５／Ｅ６バンド、ＧＰＳの場合にはＬ２バンド）で作動するような大きさにした第２導電性パッチを含む。第１の導電性パッチに放射連結される第１の対の導電性ストリップと第２の導電性パッチに放射連結される第２の対の導電性ストリップが前記励起線部に設けられ、夫々がこの励起線部内で互いに直角に配置された第１及び第２のストリップから成る。アンテナは更に、トリプレート部において、第１の対の導電性ストリップを衛星測位受信器に接続する第１の電気回路と、第２の対の導電性ストリップを衛星測位受信器に接続する第２の電気回路を含んでいる。好ましくは、第１の回路と第２の回路とを電極的に接触させず、それ等夫々の周波数バンドに専用にこれ等回路を調整可能にすると良い。
【００１４】
両回路は好ましくは、インピーダンス整合回路網、給電回路網、少なくとも一つの濾過ステージ及び低ノイズ増幅器を含む。各回路を、夫々の周波数バンドの信号が最大量送信されるようする一方、バンド外信号が反射又は減衰されるようにして最適化することができる。整合、給電及び増幅部品は夫々の周波数バンドに更なる濾過能力を付加するように選ばれる。従って、濾過ステージ自体の仕様は緩和され、その結果、電気回路がよりコンパクト、安定及び低コストになる。
【００１５】
電気回路を円偏波信号に適合させるため、第１の電気回路は、第１の周波数信号を第１の対の導電性ストリップの第１のストリップへと、又はそれから結合し、及び、第１の周波数信号を第１の対の導電性ストリップの第２のストリップへと、又はそれからの位相差９０°の第１の周波数信号とを結合する第１の連結ステージと、並びに第２の電気回路は、第２の周波数信号を第２の対の導電性ストリップの第１のストリップへと、又はそれから結合し、及び第２の対の導電性ストリップの第２のストリップへと、又はそれから位相差９０°で第２の周波数信号とを結合する第２の連結ステージを含む。各連結ステージは上記第１及び第２の電気回路の各々に、１つ以上のカップラー、例えば３つのカップラーを含んで良いことを当業者は気付くであろう。それにより、第１の周波数信号と第２の周波数信号に対して平衡した励起又は感度が得られる。
【００１６】
第１の電気回路は第１の対の導電性ストリップからの結合した第１の周波数信号を夫々濾過及び増幅するバンドパスフィルタ及び増幅器を含んでも良く、第２の電気回路は第２の対の導電性ストリップからの結合した第２の周波数信号を夫々濾過及び増幅するバンドパスフィルタ及び増幅器を含んでも良い。
【００１７】
必要なら、少なくとも前記第２の電気回路は、２つのより狭い周波数バンドを第２の周波数バンド内で選択するためのバンドパスフィルタを２つ有するダイプレクサを含む。例えば、第２の周波数バンドがＥ５バンド及びＥ６バンドを含む場合、Ｅ５信号をＥ６信号とは別個に濾過すことができ、結果として信号／ノイズ比が改善される。
【００１８】
導電性パッチを支持するため、アンテナは誘電性基板層を含み、導電性パッチをその上に印刷又は付着することができる。導電性パッチは例えば、銅から成るようにし、錫―鉛合金でメッキする。支持体上の導電性パッチ、励起線部及びトリプレートは、間に空隙を設け又は設けずに、積重ねられる。
【００１９】
後部入射電波を低減するため、アンテナは導電性パッチの積重ねと励起線部が配置された空洞をもつ金属容器を含んで良い。また、上の導電性パッチ導電性パッチと対向する側にチョークを配置することで、後部入射電波を低減することができる。そのようなチョークは金属容器の一体化した一部としても良く、アンテナの別個の部品としても良い。例えば、金属容器の後側のプレートを波形（チョークリングを設ける）にしても良い。
【００２０】
アンテナは保護用のレードームを含んでも良いことが理解されよう。そのようなレードームはアンテナを屋外で用いる場合に好適である。レードームはガラス繊維を混入したポリメタクリレート、ポリカーボネート又はエポキシ樹脂等の通常の材料から構成することができる。
【実施態様】
【００２１】
本発明の好適、且つ非限定実施態様を以下、添付図面を参照して述べる。
【００２２】
積重ねマルチバンドパッチアンテナ１０の好適な実施態様の概略図を図１に示す。このアンテナは、各々がディスク形状の誘電性基板１６、１８に貼り付けられた導電性パッチ１２、１４の積重ね（スタック）を含む。積重ねパッチの下側には励起線部２０があって、誘電性基板２６上の導電性ストリップ２２ａ、２２ｂ、２４ａ、２４ｂの対２２、２４を含む。導電性ストリップ２２ａ、２２ｂ、２４ａ、２４ｂは、励起線部２０の下側のトリプレート２８に配置されたＲＦフロントエンドに接続されている。導電性パッチ１２、１４と励起線部２０とトリプレート２８は略平行関係に配置されている。
【００２３】
導電性パッチ１２、１４と励起部２０の導電性ストリップ２２ａ、２２ｂ、２４ａ、２４ｂは印刷銅層として製造されるが、各銅層は錫−鉛合金又は無鉛錫でメッキする場合もある。
【００２４】
最上部の導電性パッチ１２は、第１の誘電性ディスク１６上のディスク状の銅パッチである。リング状の導電性パッチ１４を保持する第２の誘電性ディスク１８は、最上部誘電性ディスク１６の下側に配置される。第２の誘電性（導電性）パッチ１４は、誘電性ディスク１６、１８の周囲に配置されている数個のスペーサ（図示せず）により誘電性ディスク１６から所定距離離間して位置付けられる。
【００２５】
励起線部２０は導電性ストリップ２２ａ、２２ｂ、２４ａ、２４ｂの２つの対２２、２４を担う誘電性ディスク２６を含み、ディスク１８、２６の周囲に位置付けられたスペーサ（図示せず）により、第２の誘電性（導電性）パッチ１８の下側に配置される。積み重ねられたアセンブリの高さは、２〜３ｃｍ程度である。
【００２６】
導電性パッチ１２、１４の横方向寸法は一般には、受信電波の大雑把に四分の一波長から波長の範囲にあって、導電性パッチ１２、１４が夫々の周波数バンドで共振するようになっている。図１の構成では、例えば最上部導電性パッチ１２はＬ１周波数バンドに、第２の導電性パッチ１４はＥ５及びＥ６周波数バンドに関連付けられる。本発明のアンテナが他の周波数バンドにも容易に適合可能であることは当業者の認めるところであろう。
【００２７】
導電性ストリップ２２ａ、２２ｂ、２４ａ、２４ｂの各対２２、２４は２つの銅ストリップから成り、これ等ストリップは互いに直角に配置される。これ等銅ストリップは励起線部２０において電気的に接触していない。銅ストリップ２２ａ、２２ｂ、２４ａ、２４ｂはディスク状励起線部２０の中心から半径方向に延びるが、中心で実際に交わらず、中心は従って仮想交差点に過ぎない。導電性ストリップ２２ａ、２２ｂ、２４ａ、２４ｂの２つの対２２、２４はディスク２６の中心の周りにＸ字型（十字形状）に対称的に配置される。即ち、導電性ストリップ２２ａは導電性ストリップ２４ａと、導電性ストリップ２２ｂは導電性ストリップ２４ｂと一直線に並ぶようになっている。
【００２８】
導電性パッチ１２、１４と励起線部２０のこの構成は、位相中心安定性を良好にし、仰角の低い際の利得を高め、交差偏波レベルと誘電及び抵抗損を低下させる。
【００２９】
励起線部２０はトリプレート２８の上に配置され、トリプレート２８は、励起線部２０に面する面３２が銅メッキされた誘電性ディスク３０を含む。整合、給電、濾過及び増幅回路網又は回路３６、３８を備えたフロントエンドを担う第２の誘電性ディスク３４がトリプレート２８の上側誘電性ディスク３０の底部誘電性面４０に、このＲＦフロントエンドを２つの絶縁層間に挟んで対置されている。導電性パッチ１２、１４及び励起線部２０とは反対側に面する側では、第２の誘電性ディスク３４は導電性層でメッキされている。
【００３０】
マルチバンドアンテナ１０の基板１６、１８上の導電性パッチ１２、１４と励起線部２０とトリプレート２８は金属容器４２の空洞の内部に収容されている。金属容器は円筒状の側壁４４と、容器の底部（後部）を閉塞する基部とを有し、導電性パッチ１２、１４の側に開口している。容器４２はその後側からアンテナ１０まで貫通する電波の量を、実質的に減少させる。容器４２の形状及び導電性パッチ１２、１４と励起部２０との相対的位置を、アンテナ１０の電磁線パターンがその軸に対して出来るだけ回転対称となるように選ぶようにする。
【００３１】
金属容器４２をトリプレートの上部及び下部導電性層と接触させて、電気回路３６、３８が電磁線に対して遮蔽されるようにする。
【００３２】
導電性ストリップ２２ａ、２２ｂ、２４ａ、２４ｂの各対２２、２４は夫々の周波数バンド及び対応する導電性パッチと関連付けられる。対２２はＬ１バンドのものとし、他の対１４がＥ５及びＥ６バンドのものとする。導電性ストリップ２２ａ、２２ｂ、２４ａ、２４ｂは導電性パッチ１２、１４には接続されていない。導電性パッチ１２、１４に放射連結している。或いはまた、導電性パッチ１２、１４に接続されるようにしても良い。
【００３３】
導電性ストリップはトリプレート２８の整合、給電、濾過及び増幅回路網３６，３８に接続されている。
【００３４】
トリプレート部２８は導電性ストリップの２つの対に対する２つの別個の回路３６、３８から成るが、これを図２〜７に付き説明する。アンテナを自己単向２路通信構成とすることにより、整合回路網、給電回路網、濾過ステージ及び増幅ステージをＥ５／Ｅ６及びＬ１バンドに対して別個に最適化することができる。
【００３５】
回路３６はＬ１バンドに、他の回路３８はＥ５及びＥ６バンドに関連付けられる。導電性ストリップ２２ａ、２２ｂ、２４ａ、２４ｂの下流において、各回路３６、３８は夫々の周波数バンドに専用のカップラー（結合器）５０、５２を含む。そのようなカップラーの結線に付いて以下、回路３６のカップラー５０に関して述べる。カップラー５０には４つのポートが有るが、その第１のポート５０ａはアンテナ信号を衛星測位受信器に送信する働きをする。第２ポート５０ｂと第３ポート５０ｃは各々、同一対２２に属する導電性ストリップ２２ｂ、２２ｃの一方にインピーダンス整合回路網５４を介して接続されている。第４のポート５０ｄは５０Ω端子５６に接続されている。カップラー５０は第２ポート５０ｂ及び第３ポート５０ｃの夫々の信号同士を位相差９０°で結合させ、第１ポート５０ａ上に結合信号を出力する。第４ポート５０ｄは残留電力を吸収する役目をする。従って、Ｌ１バンドとＥ５／Ｅ６バンドに対して異なる回路３６、３８を用いる結果、Ｌ１信号とＥ５／Ｅ６信号とが夫々の濾過ステージ６２、６４及び増幅ステージ６６、６８の前段で予備的に分離されることになる。回路３８において、５８は導電性ストリップ２４の対に対するインピーダンス整合回路網であり、６０は５０Ω端子である。
【００３６】
濾過ステージ６２、６４と増幅ステージ６６、６８もまた、電気接続線を出来るだけ短く保つようにトリプレート２８に配置されている。これによる利益は、接続長さによる損失が少ないことである。濾過ステージ６２，６４は、増幅器を飽和させることのあるバンド外干渉を全て排除するため、増幅ステージ６６，６８の直前段に設けられている。
【００３７】
図３〜７に、アンテナ１０の濾過ステージ６２、６２（６４）及び増幅ステージ６６、６８の実施態様数例を示す。
【００３８】
図３の実施態様では、Ｌ１バンドに関連付けられる回路３６のカップラー５０の第１ポートは、Ｌ１バンドの外側の不望周波数成分を濾過するバンドパスフィルタから成る濾過ステージ６２に接続されている。濾過されたＬ１信号は次いで、増幅ステージ６６の低ノイズ増幅器により増幅される。Ｅ５及びＥ６バンドに関連付けられる回路３８に関しては、一体化されたダイプレクサ及びコンバイナ回路が濾過ステージ６４として用いられる。この濾過ステージはＥ５信号及びＥ６信号を夫々バンドパス濾過する２つのバンドパスフィルタ７０、７２を含む。ダイプレクサ・コンバイナ回路はカップラー５２の第１ポートの下流側に設けられる。濾過後、Ｅ５及びＥ６信号は再結合され、低ノイズ増幅器６８で増幅された後、衛星測位受信器のコネクタに送られる。
【００３９】
図４は、図３の実施態様における増幅ステージ６６、６８の下流側に更なる濾過ステージ７４、７６を設けたものを示す。回路３８内のダイプレクサ・コンバイナ回路７６は、Ｅ５バンドのためのバンドパスフィルタとＥ６のためのバンドパスフィルタを含む。
【００４０】
図５において、濾過ステージ６４はコンバイナ能力の無いダイプレクサを含む。濾過されたＥ５及びＥ６信号は増幅ステージ６８の異なる増幅器により別個に増幅される。Ｅ５信号とＥ６信号の再結合は増幅ステージ６８の下流側の、Ｅ５信号とＥ６信号を別個に濾過するバンドパスフィルタを含むコンバイナ７８で行われる。
【００４１】
図６及び７に示すように、増幅信号の再結合を省いて、Ｅ５及びＥ６信号を衛星測位受信器に別々に送ることもできる。増幅後、これ等信号を受信器に直接、又はフィルタ７４、８０、８２にて夫々バンドパス濾過後に送ることができる。
【００４２】
図３及び４に示す実施態様では、要する低ノイズ増幅器が図５〜７のもののように３つではなく２つであるので、電力消費及びコストが低いと云う利点がある。付加される濾過ステージ７４及び７６が周波数に対する群遅延変化を増大させ、温度に対する群遅延安定性を低下させるので、図３の実施態様は図４の実施態様より好ましい。
【００４３】
図８に、積重ねパッチ１２、１４と励起線部２０とＲＦフロントエンドを有するトリプレート２８の集成物を収容するためのアンテナ容器４２の斜視図を示す。
【００４４】
例えば雨水や雪に対する屋外保護のため、アンテナは好ましくは、図９に示すようにレードーム９０が備わるようにすると良い。
【００４５】
ここに提示されるアンテナは専門職向け衛星測位用途、参照利用及び生命安全利用、例えば欧州衛星測位システム「ガリレオ」に特に適した機能目的を幾つか組み合わせたものであることを当業者は理解するであろう。本アンテナは
・３バンド動作（例えばＬ１、Ｅ５、Ｅ６）
・自己固有単向２路通信動作（Ｌ１バンドとＥ５／Ｅ６バンドに対して別個の回路）
・コンパクト性と低断面による高位相中心安定性と低干渉偏波レベル
を提供する。
【００４６】
本発明は「ガリレオ」に適した最初の高性能アンテナであり、ガリレオシステムの技術的可能性を探るので、商業的利用に対して高い可能性がある。また、濾過及び増幅素子が一体化された、そのような価格が手頃でコンパクト、且つ携行可能なアンテナの必要もある。
【図面の簡単な説明】
【００４７】
【図１】積重ねマルチバンドアンテナの拡大概略図である。
【図２】励起線部の導電性ストリップに接続されたＲＦフロントエンドのブロック図である。
【図３】給電回路、濾過回路及び増幅回路の第１の実施態様のブロック図である。
【図４】給電回路、濾過回路及び増幅回路の第２の実施態様のブロック図である。
【図５】給電回路、濾過回路及び増幅回路の第３の実施態様のブロック図である。
【図６】給電回路、濾過回路及び増幅回路の第４の実施態様のブロック図である。
【図７】給電回路、濾過回路及び増幅回路の第５の実施態様のブロック図である。
【図８】積重ねアンテナの金属容器の斜視図である。
【図９】屋外使用のためのレードームで覆われた図８の金属容器の斜視図である。
【図１】
0005601772.tif 000002
【図２】
0005601772.tif 000003
【図３】
0005601772.tif 000004
【図４】
0005601772.tif 000005
【図５】
0005601772.tif 000006
【図６】
0005601772.tif 000007
【図７】
0005601772.tif 000008
【図８】
0005601772.tif 000009
【図９】
0005601772.tif 000010